(57)【要約】      （修正有）【課題】下着を重ねることなく乳房を保持して、下着の着用または脱衣を容易にし、暑さを解消させるとともに、血流やリンパの流れを妨げず、はみ出た肉による段差を生じさせることなく、肩の負担を軽減させ、バストが大きい場合に、バストの大きさを目立たなくすることができる衣類を提供する。【解決手段】本考案に係る衣類１は、キャミソール等の衣類であって、衣類本体２の左右の脇部から胸部中央近傍にかけてアンダーバスト位置に沿って所定の幅を有する一対の乳房保持帯３ａ，３ｂが取り付けられているとともに、これら乳房保持帯３ａ，３ｂの胸部側端部には胸部中央位置において互いに係止しうる係止部４ａ，４ｂが設けられている。【選択図】図１
0003193816.tif 000002
【実用新案登録請求の範囲】
【請求項１】
キャミソール等の上半身を覆う衣類であって、衣類本体の左右の脇部から胸部中央近傍にかけてアンダーバスト位置に沿って所定の幅を有する一対の乳房保持帯が取り付けられているとともに、これら乳房保持帯の胸部側端部には胸部中央位置において互いに係止しうる係止部が設けられている衣類。
【請求項２】
前記各乳房保持帯が前記衣類本体の表面側に取り付けられており、前記衣類本体の表面側において左右一対の前記乳房保持帯を係止する、請求項１に記載の衣類。
【請求項３】
前記乳房保持帯として非伸縮性素材を使用する、請求項１または請求項２に記載の衣類。
【考案の詳細な説明】
【技術分野】
【０００１】
本考案は、上半身を覆う衣類に関し、身体の負担を軽減しつつ、しっかりと乳房を保持することが可能な衣類に関するものである。
【背景技術】
【０００２】
女性は一般的に、下着として、乳房を保持するためにブラジャーを着けたうえで、キャミソール等を着用するが、特に、夏は、下着や衣類を重ねて着用することによる暑さが問題となる。また、そもそもブラジャーは、アンダーバスト位置に設けられたベルト等によって、胸周り全体を締め付けて固定するものであるため、体が締め付けられ、血流やリンパの流れが悪くなる。さらに、ブラジャーによって固定された部分からはみ出た肉により、ブラジャーで固定された部分と固定されていない部分の境界に段差が生じるため見た目が美しくないという問題がある。
【０００３】
このような問題に対して、従来、ブラジャーとキャミソールを一体化した衣類が提案されており、例えば、特開２０１１−３２５８９号公報には、乳房を保持するための一対のカップ部を、接続部によって衣類本体部に接続するとともに、前記カップ部の下部及び前記接続部に、胸囲方向に収縮部を設け、収縮部に設けられた係止部によって係止することにより、乳房を保持する女性用衣類が開示されている（特許文献１）。
【先行技術文献】
【特許文献】
【０００４】
【特許文献１】特開２０１１−３２５８９号公報
【考案の概要】
【考案が解決しようとする課題】
【０００５】
しかしながら、特許文献１に記載された発明は、胸囲方向に収縮部が設けられているため、胸囲方向への収縮力による体への締め付けや、はみ出た肉による段差の問題は解消されていない。また、カップ部が設けられているため、乳房を引っ張り上げるように保持する状態となり、肩に負担がかかりやすく、かつ、胸にボリューム感が出てしまい、バストが大きい場合には、却って、バストの大きさが目立ってしまうという問題がある。
【０００６】
そこで、本考案は、このような問題点を解決するためになされたものであって、下着を重ねることなく乳房を保持して、下着の着用または脱衣を容易にし、暑さを解消させるとともに、血流やリンパの流れを妨げず、はみ出た肉による段差を生じさせることなく、肩の負担を軽減させ、バストが大きい場合に、バストの大きさを目立たなくすることができる衣類を提供することを目的としている。
【課題を解決するための手段】
【０００７】
本考案にかかる衣類は、キャミソール等の衣類であって、衣類本体の左右の脇部から胸部中央近傍にかけてアンダーバスト位置に沿って所定の幅を有する一対の乳房保持帯が取り付けられているとともに、これら乳房保持帯の胸部側端部には胸部中央位置において互いに係止しうる係止部が設けられている。
【０００８】
そして、本考案の一態様として、前記各乳房保持帯が前記衣類本体の表面側に取り付けられており、前記衣類本体の表面側において左右一対の前記乳房保持帯を係止してもよい。
【０００９】
さらに、本考案の一態様として、前記乳房保持帯として非伸縮性素材を使用してもよい。
【考案の効果】
【００１０】
本考案の衣類によれば、下着を重ねることなく乳房を保持して、下着の着用または脱衣を容易にし、暑さを解消させるとともに、血流やリンパの流れを妨げず、はみ出た肉による段差を生じさせることなく、肩の負担を軽減させ、バストが大きい場合に、バストの大きさを目立たなくすることができる衣類を提供することを目的としている。
【図面の簡単な説明】
【００１１】
【図１】本実施形態の衣類の一実施形態を示す正面図である。
【図２】図１の背面図である。
【図３】図１の係止部周辺の拡大図であり、（Ａ）は係止部が解除されている状態を示す図、（Ｂ）は係止部が係止されている状態を示す図である。
【図４】本実施形態の図１の衣類の係止部を係止した状態の使用時の状況を示す図である。
【考案を実施するための形態】
【００１２】
以下、本考案に係る衣類の一実施形態について図面を用いて説明する。
【００１３】
なお、本考案において、衣類とは、身につけるものであって、キャミソール、タンクトップ、ワンピース、水着等のあらゆる態様を含むものであり、布製や樹脂製等のあらゆる素材により構成されているものを含む概念である。
【００１４】
本実施形態における衣類１は上半身を覆う衣類であって、図１ないし図４に示すように、衣類本体２の表面に、一対の乳房保持帯３ａ，３ｂが取り付けられており、乳房保持帯３ａ，３ｂの胸部側端部に係止部４ａ，４ｂが設けられている。以下、各構成について説明する。
【００１５】
衣類本体２は、体を覆うものであり、その表面に一対の乳房保持帯３ａ，３ｂが取り付けられている。本実施形態において、衣類本体２として、上半身を覆うキャミソールを挙げたが、タンクトップやティーシャツ等でもよく、下半身まで覆うワンピース等でもよい。さらに、衣類本体２は少なくとも胸部を覆うものであればよく、ビキニ等の水着でもよい。また、衣類本体２は、乳房や乳頭の形が衣類表面に現われることを防ぐために、胸部の布を二重にしたり、乳房や乳頭の形が出にくい素材を使用してもよい。
【００１６】
乳房保持帯３ａ，３ｂは、乳房を保持するためのものであり、所定の幅を有しており、衣類本体２の左右の脇部から胸部中央近傍にかけてアンダーバスト位置に沿って、衣類本体２の表面に縫製により取り付けられている。乳房保持帯３ａ，３ｂの幅は乳房を保持することができる程度であればよく、乳房保持帯３ａ，３ｂの長さも、衣類本体２の左右の脇部から胸部中央近傍の範囲内において、着用する人の胸囲や乳房の大きさ等に合わせて適宜変更可能である。また、乳房保持帯３ａ，３ｂは、ゴム等ではない非伸縮性素材で構成されており、乳房保持帯３ａ，３ｂを胸部中央方向に寄せて引っ張り、後述の係止部４ａ，４ｂを胸部中央で係止することによって、乳房をしっかりと保持することができるようになっている。なお、乳房保持帯３ａ，３ｂを非伸縮性素材で構成することにより、血流やリンパの流れをスムーズに保持することができる。また、非伸縮性素材とは、ゴム等のような伸縮性素材を使用せず、綿素材やアクリル、ポリエステル等の化学繊維によるものを使用する意図であり、わずかでも伸縮しない素材に限定する意図ではない。
【００１７】
係止部４ａ，４ｂは、左右一対の乳房保持帯３ａ，３ｂを胸部の中央位置において互いに係止するものであり、乳房保持帯３ａ，３ｂの胸部側端部に設けられている。本実施形態において、係止部４ａ，４ｂとして、鈎とループの対で構成される２個のホックを設けたが、ホックの数は乳房保持帯３ａ，３ｂの幅等に応じて適宜変更可能であり、また、係止部４ａ，４ｂは、乳房保持帯３ａ，３ｂの胸部側端の相互間を係止できるものであればよく、スナップボタン、紐、リボン等、衣類１のデザイン等によって適宜変更である。さらに、係止部４ａ，４ｂについては、図３に示すように、着用する人の胸囲に合わせることができるように、サイズ調節部５を設けてもよい。また、係止部４ａ，４ｂを取り付ける部分には係止のしやすさを考慮して伸縮性素材を採用してもよい。
【００１８】
つぎに、本実施形態に係る衣類１による作用について、図１ないし図４を参照しつつ説明する。
【００１９】
本実施形態の衣類１を着用する場合、まずは係止部４ａ，４ｂを係止しない状態で着用し、その後、乳房保持帯３ａ，３ｂを胸部中央方向に寄せて引っ張り、係止部４ａ，４ｂを胸部中央で係止する。これにより、下着を重ねて着用する必要がなくなり、下着の着用または脱衣が容易になるとともに、暑さの問題が解消される。また、乳房保持帯３ａ，３ｂが、胸周り全体ではなく、衣類本体２の左右の脇部から胸部中央近傍にかけて設けられていることにより、体全体として締め付けられないため、血流やリンパの流れが妨げられることなく、はみ出た肉による段差の問題も生じない。さらに、背中全体で乳房保持帯３ａ，３ｂによる保持された胸を押し上げる状態となり、肩への負担も軽減される。また、カップが設けられていないため、肩への負担が軽減されるともに、バストの大きさが適度に目立たなくなる。
【００２０】
また、本実施形態では、乳房保持帯３ａ，３ｂが衣類本体２の表面に取り付けられているため、係止部４ａ，４ｂが直接肌に触れることなく、係止部４ａ，４ｂによる傷などの心配もない。また、係止部４ａ，４ｂの素材の選定において、肌がデリケートな人への配慮の必要もなくなる。
【００２１】
さらに、本実施形態では、乳房保持帯３ａ，３ｂとして非伸縮性素材を使用しているため、乳房をしっかりと保持するとともに、胸周りにゴムなどの締め付けがなく、血流やリンパの流れがよりスムーズとなる。
【００２２】
以上のように、本考案によれば、下着を重ねることなく乳房を保持して、下着の着用または脱衣を容易にし、暑さを解消させるとともに、血流やリンパの流れを妨げず、はみ出た肉による段差を生じさせることなく、肩の負担を軽減させ、バストが大きい場合に、バストの大きさを目立たなくすることができる。
【００２３】
なお、本考案に係る衣類１は、前述した実施形態に限定されるものではなく、適宜変更することができる。例えば、本実施形態においては、乳房保持帯３ａ，３ｂを衣類本体２の表面に取り付けたが、衣類１のデザインによっては、乳房保持帯３ａ，３ｂを衣類本体２の裏面に取り付けてもよい。また、乳房保持帯３ａ，３ｂとして、ある程度伸縮する素材を使用してもよい。
【符号の説明】
【００２４】
１  衣類
２  衣類本体
３ａ  乳房保持帯
３ｂ  乳房保持帯
４ａ  係止部
４ｂ  係止部
５    サイズ調節部
【図１】
0003193816.tif 000003
【図２】
0003193816.tif 000004
【図３】
0003193816.tif 000005
【図４】
0003193816.tif 000006